(57)【特許請求の範囲】
【請求項１】
ケース本体１の前隅に、テープ３の繰り出し端に固定した連結具４を出し入れ操作するローディング口５が開口しており、
ローディング口５を開閉する蓋７を有し、
蓋７は、ケース本体１の前隅においてローディング口５を側面および前面の側から覆う、蓋側壁２４と蓋前壁２５とで断面Ｌ字状に形成されており、
蓋側壁２４の後端がケース本体１にピン２７を介して揺動開閉自在に軸支されており、  ケース本体１と蓋７との間に蓋７を閉じ状態にロック保持する蓋ロック機構が設けてある磁気テープカートリッジであって、
蓋ロック機構は、蓋前壁２５の内面上下に片持ち状に突設されて上下方向へ弾性変形可能な上下一対のロック体２９と、各ロック体２９に対応してケース本体１の上壁２３および底壁２１の内面のそれぞれに設けた一対の保持部３０とで構成されており、
保持部３０が、上壁２３および底壁２１を内外に貫通する状態で形成されて、ロック体２９の先端に設けた爪部３１が落ち込み係合する係合穴３２と、上壁２３および底壁２１の側縁から係合穴３２へ向かって傾斜するよう形成されて、ロック体２９の爪部３１を係合穴３２へ向かって係合誘導する案内溝３３とからなり、
係合穴３２は、ロック解除用の解除ピンＰの侵入を許すピン穴３４を兼ねており、
蓋閉じ状態において、上下の各ロック体２９の爪部３１がそれぞれ対向する係合穴３２に係合して、蓋７が開き揺動するのを阻止している単リール型の磁気テープカートリッジ。  
【発明の詳細な説明】
【０００１】
【発明の属する技術分野】
本発明は、例えばコンピュータの外部記憶装置用の磁気記録媒体として用いられる、単リール型の磁気テープカートリッジに関する。
【０００２】
【従来の技術】
この種の磁気テープカートリッジは特開平８−６３９４０号公報に公知である。そこでは、角箱状のケース本体の内部に一個のリールを収容し、リールに巻かれたテープの繰り出し端に、テープを引き出し操作するための連結具が設けてある。連結具はケース前面のローディング用の開口に臨んでいる。このローディング用の開口はケース本体に設けた蓋で開閉できる。
【０００３】
蓋は捻じりコイル形のばねで開き勝手に揺動付勢してあり、そのために閉じ状態に維持する蓋ロック機構を備えている。蓋ロック機構のロック板は蓋の揺動基端の外面に露出する状態で設けてあり、スイッチボタンを押し込み操作する要領でロック板を押し込み操作すると、蓋が勢いよく開き揺動する。
【０００４】
【発明が解決しようとする課題】
上記の蓋ロック機構では、ロック板が蓋外面に露出しているので、テープカートリッジの取り扱い時に誤ってロック板をロック解除操作することがある。その事自体は左程問題とはならない。しかし、ロック板を不用意にロック解除した場合であっても、蓋はばね力によって自動的に開き揺動するので、予想しない蓋の開放動作に驚いてテープカートリッジを取り落とし、蓋やケース本体が破損することがある。落下衝撃を受けてテープの一部がローディング用の開口から弛み出たり、蓋の破片や異物がケース本体内へ飛び込んでテープを傷付けることもある。ロック板を操作するだけで簡単に蓋が開くので、いたずらを受けやすい不利もある。
【０００５】
本発明の目的は、蓋が不用意に開くのを確実に防止でき、しかもいたずら等によって蓋が開かれるのを阻止できる、単リール型の磁気テープカートリッジを提供することにある。
本発明の他の目的は、蓋を開き操作する明確な意思がない限りは蓋ロックをロック解除操作できず、しかも蓋ロックを解除したうえで、蓋を開き操作しないとローディング用の開口を開放できないようにし、以てテープカートリッジを取り扱い時等に誤って蓋を開き操作することがないようにする。
【０００６】
【課題を解決するための手段】
本発明の磁気テープカートリッジは、ケース本体１の周側面に、テープ３の繰り出し端に固定した連結具４を出し入れ操作するローディング口５が開口しており、ローディング口５を閉止する蓋７がケース本体１で開閉自在に支持してある。ケース本体１と蓋７との間に蓋７を閉じ状態にロック保持する蓋ロック機構を設ける。蓋ロック機構は、蓋７側に設けた複数個のロック体２９と、各ロック体２９に対応してケース本体１に設けた複数個の保持部３０とで構成する。蓋閉じ状態において、互いに係合して蓋７を開放不能にロック保持するロック体２９と保持部３０とのいずれか一方に面して、ロック解除用の解除ピンＰの進入を許す複数のピン穴３４を設ける。複数のピン穴３４は、ローディング口５に臨むケース本体１の上壁２３、底壁２１および周側壁２２のうち、異なる複数個の面壁に分散して形成されている。
【０００７】
具体的には、蓋７はケース本体１の前隅においてローディング口５を側面および前面の側から覆う、蓋側壁２４と蓋前壁２５とで断面Ｌ字状に形成する。蓋側壁２４はその後端をケース本体１に設けたピン２７を介して水平揺動自在に軸支する。蓋ロック機構は、蓋前壁２５の内面上下に突設した弾性変形可能な上下一対のロック体２９と、ケース本体１の上壁２３および底壁２１の内面のそれぞれに設けた保持部３０とで構成する。保持部３０は、ピン穴３４を兼ねて上壁２３および底壁２１を内外に貫通して形成した係合穴３２と、ロック体２９の先端に設けた爪部３１を係合穴３２へ向かって係合誘導する案内溝３３とからなる。
【０００８】
【作用】
複数個のロック体２９と、ロック体２９に対応して設けた保持部３０とで蓋ロック機構を構成するので、複数個のロック体２９と保持部３０との係合状態を同時に解除しない限りは、蓋７を開放できない。さらに、解除ピンＰ用のピン穴３４を、例えば上壁２３と底壁２１のように、ケース本体１の異なる複数個の面壁に分散して設け、各解除ピンＰの解除操作方向がピン穴３４ごとに異なるようにしたので、蓋７のロック解除操作をさらに難しくできる。つまり、一組のロック体２９と保持部３０を誤ってロック解除操作した場合でも、確実に蓋７を閉止保持できる。不注意等によって磁気テープカートリッジが床面に落下したような場合にも、落下衝撃によって蓋７が開いてしまうのを防止できる。
【０００９】
【実施例】
図１ないし図５は本発明に係る単リール型の磁気テープカートリッジの実施例を示す。図２において磁気テープカートリッジは、上下ケース１ａ・１ｂを接合してなる角箱状のケース本体１を有し、ケース本体１の内部に一個のリール２を収容し、リール２にテープ３が巻装されている。テープ３の繰り出し端には、テープ３を引き出し操作する連結具４が固定してある。連結具４はケース本体１の前部左隅に開口したローディング口５に臨むよう配置されており、弾性を有する一対の保持爪６・６で係合保持されている。ローディング口５は揺動自在な蓋７で開閉できる。
【００１０】
図５に示すように、リール２のボス９は上向きに開口しており、その内部にテープドライブの駆動体の回転力をリール２に伝える駆動リング１０と、リール押え１１と、リール押え１１を押し下げ付勢するばね１２とが収容してある。駆動リング１０はボス９の内底に設けた座部１３で受け止められていて、座部１３に対して上下スライドは可能であるが、相対回転は不能に支持されている。座部１３の下面には、前記駆動体で磁気吸着される、鉄板製の吸着板１４が固定してある。
【００１１】
不使用時のテープ弛みを防ぐために、図２に示すごとくケース本体１の前部右隅のスペースを利用してリールロック機構を配置している。このリールロック機構は、ピン１５を中心にして揺動するロック爪１６と、ロック爪１６をリール２側へ向かって揺動付勢する捻じりコイル形のばね１７と、リール２の下フランジの周縁に設けたギヤ歯状のロック歯１８とからなる。ロック爪１６の中途部下面には解除片１９が突設してあり、解除片１９に設けた溝を下ケース１ｂの下面側から差し込まれる解除ピンで操作することにより、ロック爪１６の全体がばね１７の付勢力に抗して反時計回転方向に揺動してロック状態を解除できる。
【００１２】
図１に示すようにローディング口５は、下ケース１ｂの底壁２１の前部左隅を斜めに切り欠き、さらに切り欠き端間の上下ケース１ａ・１ｂの周側壁２２を切り欠いて形成してある。上ケース１ａの上壁２３は切り欠かずに、ローディング口５の上面側を覆っている。このローディング口５に臨む連結具４やテープ３等を保護するために、ローディング口５が開閉自在な蓋７で閉止される。
【００１３】
図１および図３において、蓋７はＬ字状に折れ曲がる蓋側壁２４と、蓋前壁２５とを有し、蓋側壁２４の後端に設けた円筒状のボス２６をピン２７で軸支することにより、ローディング口５を閉止する位置（図２の状態）と、この位置から時計回転方向へ揺動してローディング口５を開放する位置（図１の状態）との間を往復揺動できる。ピン２７は下ケース１ｂから一体に立設してあって前記ボス２６に挿通され、上ケース１ａ側で受け止められている。
【００１４】
蓋７を閉じ位置においてロック保持するために、蓋７とケース本体１との間に蓋ロック機構を有する。この蓋ロック機構は、蓋前壁２５の内面上下から蓋側壁２４と平行になるよう片持状に突設した上下一対のロック体２９と、ロック体２９に対応してケース本体１の上壁２３および底壁２１に設けた一対の保持部３０とからなる。各ロック体２９は上下方向へ弾性変形できる帯状体からなり、その突端に爪部３１が突設されている。
【００１５】
保持部３０は、爪部３１が落ち込み係合する係合穴３２と、上壁２３および底壁２１の側縁から係合穴３２へ向かって傾斜する案内溝３３とからなる。図４に示すように、係合穴３２はロック解除用の解除ピンＰの進入を許すピン穴３４を兼ねており、上壁２３および底壁２１を内外に貫通する状態で形成する。案内溝３３は、図３に示すように蓋７を閉じ操作するとき、爪部３１を係合穴３２へ向かって案内して、ロック体２９が上壁２３および底壁２１に引っ掛かるのを防止する。
【００１６】
蓋閉じ状態においては、図４に示すように上下の各ロック体２９の爪部３１がそれぞれ対向する係合穴３２に係合して、蓋７が開き揺動するのを阻止する。蓋ロック機構をロック解除操作するには、上下のピン穴３４に外側から解除ピンＰを同時に差し込んで、上下の爪部３１をロック体２９の弾性に抗して係合穴３２外へ押し出す必要がある。詳しくは、一対のロック体２９を同時に、しかも異なる方向から異なる向きに変位操作し、その状態を維持しながら蓋７を開き操作して始めて、蓋７を開放できる。従って、誤ってあるいは意図的に上下いずれかのロック体２９をロック解除操作したとしても、蓋７は開かない。
【００１７】
上記の実施例以外に、図６に示すようにロック体２９を蓋前壁２５の先端寄りの内面上下に設け、保持部３０を上壁２３および底壁２１に設けることができる。  
【００１８】
【発明の効果】
本発明では、複数個のロック体２９および保持部３０で蓋ロック機構を構成し、各ロック体２９と各保持部３０との係合状態を同時に解除しない限りは、ロック解除操作できないようにした。しかも解除ピンＰの解除操作方向を各ピン穴３４ごとに異ならせて、各ロック体２９あるいは保持部３０を同時にロック解除操作すること自体を難しくした。従って、蓋ロック機構の誤動作等によって蓋７が開くのを確実に防止でき、蓋７の開放に伴う異物のケース内への侵入を解消できる。床面への落下や他物との衝突によって蓋７が簡単に開いてしまうこともよく防止できる。
【図面の簡単な説明】
【図１】蓋ロック機構を示す斜視図である。
【図２】磁気テープカートリッジの内部平面図である。
【図３】蓋の開閉途中状態を示す横断平面図である。
【図４】図２におけるＡ−Ａ線断面図である。
【図５】図２におけるＢ−Ｂ線断面図である。
【図６】蓋ロック機構の別実施例を示す横断平面図である。
【符号の説明】
１  ケース本体
４  連結具
５  ローディング口
７  蓋
２９  ロック体
３０  保持部
３１  爪部
３２  係合穴
３４  ピン穴
Ｐ  解除ピン
【図１】
0003630924.tif 000002
【図２】
0003630924.tif 000003
【図３】
0003630924.tif 000004
【図４】
0003630924.tif 000005
【図５】
0003630924.tif 000006
【図６】
0003630924.tif 000007